(57)【要約】      （修正有）【課題】挟むことのできる支柱等の太さの自由度を高め、安定して支柱等の誘引部材に固定することのできる園芸用クリップを提供する。【解決手段】園芸用クリップ１０は、先端に誘引部材５０を挟む挟持部３０、基端に指で摘む指掛かり部を有し、挟持部と指掛かり部との間に開閉支点を有し、挟持部と開閉支点との間に植物の茎又は蔓が挿通する保持部２８が形成された一対のクリップ部材２０と、クリップ部材が開閉支点で連繋された状態で、挟持部どうしを接近方向に付勢する付勢手段と、を具え、挟持部は、内向きに突出する挟持片３１であって、挟持部どうしが最も接近した状態で他方の挟持部の挟持片と互いにずれた位置に形成される挟持片と、挟持片に凹設された挟持凹み３３を有しており、挟持片は、挟持部どうしが最も接近した状態で他方の挟持部の挟持片と重なり、挟持凹みが他方の挟持部の挟持片によって塞がれる。【選択図】図７
0003206591.tif 000002
【実用新案登録請求の範囲】
【請求項１】
先端に誘引部材を挟む挟持部、基端に指で摘む指掛かり部を有し、前記挟持部と前記指掛かり部との間に開閉支点を有し、前記挟持部と前記開閉支点との間に植物の茎又は蔓が挿通する保持部が形成された一対のクリップ部材と、
前記クリップ部材が前記開閉支点で連繋された状態で、前記挟持部どうしを接近方向に付勢する付勢手段と、
を具える園芸用クリップであって、
前記挟持部は、内向きに突出する挟持片であって、前記挟持部どうしが最も接近した状態で他方の挟持部の挟持片と互いにずれた位置に形成される挟持片と、前記挟持片に凹設された挟持凹みを有しており、
前記挟持片は、挟持部どうしが最も接近した状態で前記他方の挟持部の挟持片と重なり、前記挟持凹みが前記他方の挟持部の挟持片によって塞がれる、
園芸用クリップ。
【請求項２】
各挟持部は、前記挟持片が複数形成されている、
請求項１に記載の園芸用クリップ。
【考案の詳細な説明】
【技術分野】
【０００１】
本考案は、支柱やネット、紐などに取り付けられ、植物の茎や蔓を誘引する園芸用クリップに関するものである。
【背景技術】
【０００２】
植物の茎や蔓（以下「茎等」と称する）を、支柱やネット、紐（以下「支柱」等と称する）などに誘引するための園芸用クリップが提案されている。たとえば、特許文献１では、一対のピンチ本体部材を略中央の結合突部で開閉可能に連繋し、先端の挟持部が当接する方向にバネ付勢した園芸用クリップを提案している。挟持部は、当接状態で支柱等が挟まる小さな挟持凹部を有しており、挟持部と結合突部との間に茎等が挿通する保持空間部が形成されている。保持空間部は、茎等が余裕を持って嵌まる大きさである。そして、園芸用クリップは、基端側の把持部を摘んで挟持部を開き、保持空間部に茎等を挿入し、挟持凹部で支柱等を挟むことにより、茎等を誘引する。
【先行技術文献】
【特許文献】
【０００３】
【特許文献１】実用新案登録第３１４２８２１号
【考案の概要】
【考案が解決しようとする課題】
【０００４】
挟持部に形成された挟持凹部は、その径よりも細い支柱等は遊びが大きくなるから挟んでも支柱等に固定できず、また、支柱等の径が挟持凹部よりも太くなると、挟持凹部に支柱等が嵌らず、支柱等への固定が不十分になる虞がある。従って、挟むことのできる支柱等の太さに大きく制限を受ける。
【０００５】
本考案は、挟むことのできる支柱等の太さの自由度を高め、安定して支柱等の誘引部材に固定することのできる園芸用クリップを提供することを目的とする。
【課題を解決するための手段】
【０００６】
上記課題を解決するために、本考案に係る園芸用クリップは、
先端に誘引部材を挟む挟持部、基端に指で摘む指掛かり部を有し、前記挟持部と前記指掛かり部との間に開閉支点を有し、前記挟持部と前記開閉支点との間に植物の茎又は蔓が挿通する保持部が形成された一対のクリップ部材と、
前記クリップ部材が前記開閉支点で連繋された状態で、前記挟持部どうしを接近方向に付勢する付勢手段と、
を具える園芸用クリップであって、
前記挟持部は、内向きに突出する挟持片であって、前記挟持部どうしが最も接近した状態で他方の挟持部の挟持片と互いにずれた位置に形成される挟持片と、前記挟持片に凹設された挟持凹みを有しており、
前記挟持片は、挟持部どうしが最も接近した状態で前記他方の挟持部の挟持片と重なり、前記挟持凹みが前記他方の挟持部の挟持片によって塞がれる。
【考案の効果】
【０００７】
本考案の園芸用クリップによれば、挟持部は、挟持片が他方の挟持部の挟持片と互いにずれた位置に形成されているから、挟持部どうしを最も接近させた閉じ状態で、挟持片どうしが重なる。このとき、挟持凹みが、他方の挟持片によって塞がれる。これにより、対向する挟持凹みによって構成される誘引部材を挟む挟み空間の調整幅を可変とすることができ、挟むことのできる誘引部材の直径に幅を持たせることができる。
【図面の簡単な説明】
【０００８】
【図１】図１は、本考案の一実施形態に係る園芸用クリップの閉じ状態の平面図である。
【図２】図２は、本考案の一実施形態に係る園芸用クリップを開いた状態の平面図である。
【図３】図３は、クリップ部材の平面図である。
【図４】図４は、クリップ部材を内側から見た図である。
【図５】図５は、図４の線Ａ−Ａに沿う断面図である。
【図６】図６は、挟持部を内側から見た拡大斜視図である。
【図７】図７は、挟持部の挟持凹みによって誘引部材を挟んだ状態を示す平面図であって、図７（ａ）は極細径の誘引部材、図７（ｂ）は細径の誘引部材、図７（ｃ）は中径の誘引部材を挟んだ平面図である。
【図８】図８は、挟持部の挟持凹みによって誘引部材を挟んだ状態を示す平面図であって、図８（ａ）は太径の誘引部材、図８（ｂ）は極太径の誘引部材を挟んだ平面図である。
【考案を実施するための形態】
【０００９】
以下、本考案の一実施形態に係る園芸用クリップ１０について、図面を参照しながら説明を行なう。なお、一般的な園芸用クリップ１０や洗濯ばさみで知られる構成については、適宜その詳細な説明や構造を省略する。
【００１０】
図１及び図２は、本考案の園芸用クリップ１０、図３乃至図５は、園芸用クリップ１０を構成する一方のクリップ部材２０を示している。園芸用クリップ１０は、一対のクリップ部材２０，２０をバネ１２などの付勢手段によって互いに先端の挟持部３０，３０が接近する方向に付勢されて構成される。図示の実施形態では、クリップ部材２０，２０は、同形のものを互いに対向するよう配置させている。
【００１１】
クリップ部材２０は、合成樹脂により成形することができ、先端に支柱やネット、紐などの誘引部材５０を挟む挟持部３０、基端に指で掴む指掛かり部２２を有する。また、クリップ部材２０の略中央には、他方のクリップ部材２０と嵌まり合う突き合わせ部２６が形成されており、これら突き合わせ部２６，２６どうしを嵌め合わせることで、クリップ部材２０，２０は開閉支点Ｏを中心に図１及び図２に示すように開閉可能となっている。
【００１２】
開閉支点Ｏと挟持部３０との間には、外向き略円弧状に大きく凹んだ保持部２８が形成されており、他方のクリップ部材２０の保持部２８との間に、植物の茎や蔓等６０を保持する保持空間Ｓｈを形成する。
【００１３】
指掛かり部２２には、図４及び図５に示すようにスリット孔２３が開設され、Ｃ字状のバネ１２を貫通させて、両クリップ部材２０，２０を挟持部３０，３０の閉じ方向に付勢している。バネ１２の先端は、図５に示す凹み２４に嵌まる。
【００１４】
図１及び図２に示すように、園芸用クリップ１０は、クリップ部材２０，２０は、開閉支点Ｏで嵌め合わされ、バネ１２で付勢されて作製され、指掛かり部２２，２２が接近するよう指で摘むことで、図１に示す閉じ状態から、図２に示す開いた状態まで挟持部３０，３０の間隔が可変となっている。そして、図２に示すように挟持部３０，３０の間隔を開いた状態で、保持部２８，２８間に植物の茎等６０を侵入させ、後述する図７及び図８に示すように挟持部３０，３０で誘引部材５０を挟んで園芸用クリップ１０を固定し、茎等６０を誘引するようにしている。
【００１５】
本考案は、クリップ部材２０の先端に形成される挟持部３０を、互いに噛み合うように位置ずれして形成された挟持片３１，３１によって構成し、挟持片３１，３１に凹設された挟持凹み３３，３３が、園芸用クリップ１０の閉じ状態において、他方の挟持片３１と重なって塞がれるようにしている。
【００１６】
より詳細には、挟持部３０，３０は、図３乃至図６に示すように、内向きに突出した１又は複数の挟持片３１を有する。本実施形態では、図４及び図６に示すように、挟持片３１は３枚である。これら挟持片３１は、園芸用クリップ１０を図１に示すように閉じ状態としたときに、他方のクリップ部材２０の挟持片３１と互いに重なる、すなわち、挟持片３１，３１どうしがぶつかることなく、噛み合うように互いに他方の挟持部３０に侵入するよう、図４及び図６に示すように位置ずれして形成している。
【００１７】
本考案においては、挟持片３１，３１は、各クリップ部材２０に２枚以上、望ましくは図示のように３枚とする。これは、挟持片３１が他方のクリップ部材２０の挟持片３１と重なることで、挟まれる誘引部材５０に剪断力が作用するが、挟持片３１，３１を複数にすることで、挟持片３１，３１と誘引部材５０との当接面積を大きくして、その剪断力を分散でき、誘引部材５０が曲がったりちぎれることを防止できるためである。
【００１８】
各挟持片３１には、内端側に挟持凹み３３が凹設されている。挟持凹み３３は、図示の実施形態では、図３に符号付けするとおり、挟持片３１の内端側が大きく開口した開口縁部３４，３４を有し、開口縁部３４，３４間の間隔に比べて深さＤが浅くなるよう徐々に縮径した形状である。挟持凹み３３の開口縁部３４，３４の間隔は、特許文献１に比べて大きく採っている。たとえば、挟持片３１の幅を１０ｍｍとしたとき、開口縁部３４，３４間の間隔は５ｍｍ、深さＤは２ｍｍである。
【００１９】
挟持凹み３３は、図１に示す園芸用クリップ１０の閉じ状態において、挟持片３１が他方のクリップ部材２０の挟持片３１と重なったときに、当該挟持片３１によって塞がれる深さである。
【００２０】
これにより、図１に示すように、互いに対向する挟持凹み３３，３３によって形成される誘引部材５０の挟み空間Ｓｐ（図７及び図８参照）をゼロにすることができる。従って、直径の細い誘引部材５０であっても、効果的に挟持凹み３３，３３によって挟むことができる。
【００２１】
図７（ａ）は、本考案の園芸用クリップ１０で極細径（たとえば直径１ｍｍ）の誘引部材５０を挟んだ状態を示している。図に示すように、極細径の誘引部材５０を挟んだ場合、挟み凹み３３が他方の挟持片３１と重なることで、挟み空間Ｓｐを非常に狭くすることができるから、極細径の誘引部材５０であっても好適に挟んで固定することができる。
【００２２】
図７（ｂ）は、本考案の園芸用クリップ１０で細径（たとえば直径２ｍｍ）の誘引部材５０を挟んだ状態を示している。図に示すように、細径の誘引部材５０を挟んだ場合も、挟み凹み３３が他方の挟持片３１と重なることで、挟み空間Ｓｐを狭くすることができるから、細径の誘引部材５０であっても好適に挟んで固定することができる。
【００２３】
図７（ｃ）は、本考案の園芸用クリップ１０で中径（たとえば直径３ｍｍ）の誘引部材５０を挟んだ状態を示している。図に示すように、中径の誘引部材５０を挟んだ場合でも、挟み空間Ｓｐが広がることで、中径の誘引部材５０であっても好適に挟んで固定することができる。
【００２４】
図８（ａ）及び図８（ｂ）は、本考案の園芸用クリップ１０で太径（たとえば直径５ｍｍ）、極太径（たとえば直径７ｍｍ）の誘引部材５０を挟んだ状態を示している。図に示すように、本考案では、挟持凹み３３の開口縁部３４，３４間の間隔を広くとることができるから、太径、極太径の誘引部材５０を挟んだ場合でも、開口縁部３４，３４間に誘引部材５０が収まる。このため、太径、極太径の誘引部材５０であっても好適に挟んで固定することができる。
【００２５】
すなわち、本考案の園芸用クリップ１０によれば、従来の園芸用クリップよりも細い又は太い誘引部材５０もずれることなく挟んで固定することができ、挟める誘引部材５０の直径に対して自由度があるから、誘引部材５０の太さに応じて種々の園芸用クリップを準備する必要がない。
【００２６】
なお、上記した寸法や形状は本考案の理解を助けるための一例であり、本考案を限定するものではない。
【００２７】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００２８】
１０  園芸用クリップ
２０  クリップ部材
２８  保持部
３０  挟持部
３１  挟持片
３３  挟持凹み
Ｓｐ  挟み空間
５０  誘引部材
６０  植物の茎等
【図１】
0003206591.tif 000003
【図２】
0003206591.tif 000004
【図３】
0003206591.tif 000005
【図４】
0003206591.tif 000006
【図５】
0003206591.tif 000007
【図６】
0003206591.tif 000008
【図７】
0003206591.tif 000009
【図８】
0003206591.tif 000010